(57)【要約】【課題】練習者が上達への意欲を損なうことなく、体の回転を使った正しいスイングを習得できる球技練習用具及び球保持具を提供する。【解決手段】球技練習用具１は、グリップ部２と、グリップ部２から連設されたシャフト部３と、シャフト部３から連設され、ゴルフボールＧの一部を収容する収容部４と、収容部４側に向かって折れ曲って形成された屈曲部５を有しゴルフボールＧを収容部４に屈曲部５によって係止して保持する弾性変形可能な係止部材６とを備え、スイングすると、ゴルフボールＧに遠心力が加わり、フォロースルーの際にゴルフボールＧが収容部４を離脱するものである。【選択図】　　　　図１
2004121527.tif 000002
【特許請求の範囲】
【請求項１】
グリップ部と、
該グリップ部から連設されたシャフト部と、
該シャフト部から連設され、ボールを保持する保持手段と
を備え、スイングによって、前記ボールに遠心力が加わると、フォロースルーの際に前記ボールが前記保持手段を離脱することを特徴とする球技練習用具。
【請求項２】
前記保持手段は、
前記ボールの少なくとも一部分を収容する収容部と、
該収容部側に向かって折れ曲って形成された屈曲部を有し、前記ボールを前記収容部に該屈曲部によって係止して保持する弾性変形可能な係止部材と
を備えることを特徴とする請求項１に記載の球技練習用具。
【請求項３】
前記保持手段は、
前記ボールの少なくとも一部を収容する切欠部を有し、前記シャフト部から連設されたヘッド部と、
前記切欠部側に向かって折れ曲って形成された屈曲部を有し、前記ボールを前記切欠部に収容した状態で挟んで保持する弾性変形可能な一対の挟持部材と
を備えることを特徴とする請求項１に記載の球技練習用具。
【請求項４】
ボールを保持する保持手段と、
該保持手段を球技用具のヘッドに着脱可能に取付ける着脱手段と
を備え、前記球技用具のスイングによって、前記ボールに遠心力が加わると、フォロースルーの際に前記ボールが前記保持手段を離脱することを特徴とする球技練習用具。
【発明の詳細な説明】
【０００１】
【発明の属する技術分野】
本発明は、球技練習用具に関するものであり、例えばゴルフまたは野球などの球技におけるスイングを練習するための球技練習用具に関するものである。
【０００２】
【従来の技術】
従来より、例えばゴルフなどの球技において、練習者が正しいスイングや打ち方を習得しようとする場合、ゴルフクラブで実際にゴルフボールを打って練習することが広く行われている。また、実際にはゴルフボールを打つことなく、ゴルフクラブをスイングして練習することも行われている。さらに、ゴルフクラブに錘などを取り付けてスイングして練習する場合もある（例えば、特許文献１参照）。
【０００３】
【特許文献１】
実開平６−５２８６５号公報
【０００４】
【発明が解決しようとする課題】
しかしながら、上記の従来技術は次のような不都合を有していた。ゴルフクラブで実際にゴルフボールを打って練習する場合、一定の効果は得られるものの、練習者の意識がゴルフクラブのヘッドにゴルフボールを当てることに集中するため、特に初心者においてはスイングが腕の回転のみで行われる傾向にあった。一旦このクセがつくと、体の回転でボールを打撃するという正確でパワフルな打法が身につきにくくなる。また、実際にはゴルフボールを打つことなく、ゴルフクラブをスイングしたり、ゴルフクラブに錘をつけてスイングしたりする場合は、練習者は単にスイングを繰り返すことになり、単調で面白みにかける上に、正しいスイングができたかどうか練習者自身が明確に判断することができなかった。そのため、練習者が上達への意欲を損なってしまうことがあった。
【０００５】
そこで、本発明は上記の実情を鑑み、練習者が上達への意欲を損なうことなく、体の回転を使った正しいスイングを習得できる球技練習用具及び球保持具の提供を課題とするものである。
【０００６】
【課題を解決するための手段】
請求項１の発明にかかる球技練習用具は、グリップ部と、該グリップ部から連設されたシャフト部と、該シャフト部から連設され、ボールを保持する保持手段とを備え、スイングによって、前記ボールに遠心力が加わると、フォロースルーの際に前記ボールが前記保持手段を離脱するものである。
【０００７】
スイングとは、ゴルフまたは野球などの球技において、練習者がゴルフクラブまたはバットなどを振って、ボールを打撃しようとする動作のことである。また、フォロースルーとは、スイングにおいて、練習者がゴルフクラブまたはバットでボールを打つ、または打つと想定するインパクトに続いて、練習者がゴルフクラブまたはバットをそのまま振り抜く動作のことである。
【０００８】
したがって、請求項１の発明の球技練習用具によれば、練習者が保持手段にボールを保持させてスイングすると、フォロースルーの際にボールが保持手段を離脱して練習者の前方に放たれることになる。これは、練習者がスイングすると、保持手段に保持されたボールが円運動をすることになり、ボールに遠心力が加わり、ついには離脱するのである。この際、練習者が腕の力のみに頼り体を回転させないと、ボールに作用する遠心力が弱くなって、ボールの飛距離がでない上、練習者が想定した方向にボールが飛ばないことになる。そのため、練習者は、腕の力のみに頼ってスイングするのではなく、体の回転を使うことを心がけて、ボールを投げるようにスイングするようになる。また、練習者は、ボールの飛距離、方向性などを見て、体がうまく回転してスイングできたかどうかを明確に判断しながら練習を進めることが可能となる。
【０００９】
請求項２の発明にかかる球技練習用具は、請求項１に記載の球技練習用具において、前記保持手段は、前記ボールの少なくとも一部分を収容する収容部と、該収容部側に向かって折れ曲って形成された屈曲部を有し、前記ボールを前記収容部に該屈曲部によって係止して保持する弾性変形可能な係止部材とを備えるものである。
【００１０】
したがって、請求項２の発明の球技練習用具によれば、請求項１の発明の球技練習用具の作用に加え、練習者は収容部にボールの少なくとも一部分を収容し、係止部材の屈曲部によってボールを係止する。これにより、ボールが収容部に保持されることになる。また、練習者がボールを収容部に保持させてスイングすると、ボールが円運動することになり、ボールに遠心力が加わることになる。このとき、係止部材は弾性変形可能であるため、フォロースルーの際に、ボールが屈曲部の係止を離脱して前方に放たれることになる。
【００１１】
請求項３の発明にかかる球技練習用具は、請求項１に記載の球技練習用具において、前記保持手段は、前記ボールの少なくとも一部を収容する切欠部を有し、前記シャフト部から連設されたヘッド部と、前記切欠部側に向かって折れ曲って形成された屈曲部を有し、前記ボールを前記切欠部に収容した状態で挟んで保持する弾性変形可能な一対の挟持部材とを備えるものである。
【００１２】
したがって、請求項３の発明の球技練習用具によれば、請求項１の発明の球技練習用具の作用に加え、練習者はヘッド部の切欠部にボールの少なくとも一部を収容し、切欠部に収容したボールを一対の挟持部材によって挟んで保持する。この際、一対の挟持部材の屈曲部により、ボールが係止されることになる。また、練習者がボールを切欠部に保持させてスイングすると、ボールが円運動することになり、ボールに遠心力が加わることになる。このとき、一対の挟持部材は弾性変形可能であるため、フォロースルーの際に、ボールが一対の挟持部材の挟持を離脱して前方に放たれることになる。
【００１３】
請求項４の発明にかかる球保持具は、ボールを保持する保持手段と、該保持手段を球技用具のヘッドに着脱可能に取付ける着脱手段とを備え、前記球技用具のスイングによって、前記ボールに遠心力が加わると、フォロースルーの際に前記ボールが前記保持手段を離脱するものである。
【００１４】
したがって、請求項４の発明の球保持具によれば、練習者がこれを球技用具のヘッドに着脱手段によって取付ければ、既存の球技用具を利用して請求項１と同様の作用を奏することになる。ここで、球技用具とは、ゴルフ、野球、ソフトボールなどを含む球技において、ボールを打撃するための用具であって、ゴルフクラブ、バットなどを例示できる。
【００１５】
【発明の実施の形態】
以下、本発明の第一実施形態である球技練習用具について、図１乃至図４に基づき説明する。図１は本発明の第一実施形態である球技練習用具の構成を示す正面図であり、図２は球技練習用具の収容部の構成を示す（ａ）側面図、（ｂ）正面図であり、図３及び図４は球技練習用具の使用方法を説明するための説明図である。
【００１６】
本実施形態の球技練習用具１は、練習者がゴルフのスイングを練習するためのものである。球技練習用具１は、図１に示すように、グリップ部２と、グリップ部２から連設されたシャフト部３と、シャフト部３から連設され、ゴルフボールＧの一部分を収容する収容部４と、収容部４側に向かって折れ曲って形成された屈曲部５を有しゴルフボールＧを収容部４に屈曲部５によって係止して保持する弾性変形可能な係止部材６とを備えている。
【００１７】
グリップ部２は、通常のゴルフクラブのグリップに相当し、練習者Ｐが球技練習用具１を両手で握る部分である。グリップ部２の形状は、周縁が円形でグリップエンド７からシャフト部３にかけてテーパー状である。また、グリップ部２の材質は、ゴムまたは皮革などを用いることができる。シャフト部３は、通常のゴルフクラブのシャフトに相当し、球技練習用具１の柄の部分である。シャフト部３の形状は、周縁が円形でグリップ部２から収容部４にかけてテーパー状である。また、シャフト部３の材質は、ヒッコリー、スチール、ライトスチール、グラスファイバー、アルミ、またはカーボンなどを用いることができる。
【００１８】
収容部４は、通常のゴルフクラブのヘッドに相当し、ゴルフボールＧを保持するための部分である。また、収容部４には係止部材６が取付けられている。ここで、収容部４と係止部材６とを組合わせたものが本発明の保持手段に相当する。
【００１９】
次に、第一実施形態の球技練習用具１の使用方法について説明する。練習者Ｐは、球技練習用具１をスイングして練習する。スイングは、練習者Ｐがゴルフボールを打つために身構えた状態（アドレス）から練習者が球技練習用具１を後方に振るテイクバックと、テイクバックからトップスイング（図３（ａ）参照）を経て練習者Ｐが球技練習用具１をゴルフボールに向かって振るダウンスイングと、ダウンスイングに続いて練習者Ｐが球技練習用具１でゴルフボールを打つと想定するインパクト（図３（ｂ）参照）と、インパクトに続いて練習者Ｐが球技練習用具１をそのまま振り抜くフォロースルー（図３（ｃ）参照）と、フォロースルーに続いて練習者Ｐが球技練習用具１をそのまま振り切るフィニッシュとから構成されている。
【００２０】
練習者Ｐは、球技練習用具１の収容部４にゴルフボールＧの一部を収容し、係止部材６によってゴルフボールＧを収容部４に押えて保持する。この際、係止部材６の屈曲部５により、ゴルフボールＧが係止されることになる。練習者Ｐは、収容部４にゴルフボールＧを保持した状態で、球技練習用具１をスイングすると、フォロースルーの際に、ゴルフボールＧが係止部材６の屈曲部５の係止を離脱して練習者Ｐの前方に放たれることになる。これは、練習者Ｐがスイングすると、収容部４に保持されたゴルフボールＧが円運動をすることになり、屈曲部５の係止に抗してゴルフボールＧに遠心力が加わり、ついには離脱するのである。
【００２１】
このように、第一実施形態の球技練習用具１では、練習者Ｐが腕の力のみに頼り体を回転させないと、ゴルフボールＧに作用する遠心力が弱くなって、ゴルフボールＧの飛距離がでない上、練習者Ｐが想定した方向にボールが飛ばないことになる。そのため、練習者Ｐは、腕の力のみに頼ってスイングするのではなく、体の回転を使うことを心がけて、図４に示すように、バケツＢの中の水を体の回転によって前方に放り出すようにスイングするようになる。したがって、練習者Ｐは球技練習用具１をスイングの練習に利用し、体の回転を使った正しいスイングを習得できる。
【００２２】
また、第一実施形態の球技練習用具１では、練習者Ｐは、ゴルフボールＧの飛距離、方向性などを見て、体がうまく回転してスイングできたかどうかを明確に判断しながら練習を進めることが可能となる。したがって、練習者Ｐは、正しいスイングができたかどうか練習者Ｐ自身でわかって面白みがあるため、上達への意欲を損なうことなく練習できる。
【００２３】
さらに、第一実施形態の球技練習用具１では、ゴルフボールＧを収容部４と係止部材６とによって保持し、遠心力によって離脱させている。したがって、ゴルフボールＧを保持するとともに、フォロースルーの際に離脱させることができる練習用具を、簡易かつ安価に実現できる。
【００２４】
次に、本発明の第二実施形態である球技練習用具について、図５に基づき説明する。図５は本発明の第二実施形態である球技練習用具のヘッド部の構成を示す（ａ）側面図、（ｂ）正面図である。なお、第一実施形態の球技練習用具１と同じ構成については、同じ番号を付し、詳細な説明を省略する。
【００２５】
本実施形態の球技練習用具２１は、図５に示すように、ゴルフボールＧの一部を収容する切欠部２２を有し、シャフト部３から連設されたヘッド部２３と、切欠部２２側に向かって折れ曲って形成された屈曲部２４ａ，２４ｂを有し、ゴルフボールＧを切欠部２２に収容した状態で挟んで保持する弾性変形可能な一対の挟持部材２５ａ，２５ｂとを有している。ここで、ヘッド部２３と、一対の挟持部材２５ａ，２５ｂとを組合わせたものが本発明の保持手段に相当する。
【００２６】
練習者Ｐは、球技練習用具２１の切欠部２２にゴルフボールＧの一部を収容し、一対の挟持部材２５ａ，２５ｂによってゴルフボールＧを切欠部２２に押えて保持する。この際、一対の挟持部材２５ａ，２５ｂの屈曲部２４ａ，２４ｂにより、ゴルフボールＧが係止されることになる。練習者Ｐは、切欠部２２にゴルフボールＧを保持した状態で、球技練習用具２１をスイングすると、フォロースルーの際に、ゴルフボールＧが一対の挟持部材２５ａ，２５ｂの屈曲部２４ａ，２４ｂの係止を離脱して練習者Ｐの前方に放たれることになる。これは、練習者Ｐがスイングすると、切欠部２２に保持されたゴルフボールＧが円運動をすることになり、屈曲部２４ａ，２４ｂの係止に抗してゴルフボールＧに遠心力が加わり、ついには離脱するのである。
【００２７】
このように、第二実施形態の球技練習用具２１は、切欠部２２にゴルフボールＧを保持する場合、練習者Ｐは、手でゴルフボールＧを持って切欠部２２に保持させるまでもなく、地面に置かれたゴルフボールＧを、ヘッド部２３で取扱って切欠部２２に押し込むようにして保持させることが可能となる。したがって、ゴルフボールＧを切欠部２２に手間なく保持させることができ、練習が効率的にできる。
【００２８】
次に、本発明の第三実施形態である球保持具について、図６及び図７に基づき説明する。図６は本発明の第二実施形態である球保持具をゴルフクラブに取付けた状態を示す正面図である。図７は球保持具の構成を示す（ａ）側面図、（ｂ）正面図である。
【００２９】
本実施形態の球保持具３１は、図６及び図７に示すように、ゴルフボールＧの一部分を収容する収容部３２と、収容部３２側に向かって折れ曲って形成された屈曲部３３を有し、ゴルフボールＧを収容部３２に押えて保持する係止部材３４と、収容部３２をゴルフクラブ３５のヘッド３６に取り付けるための取付部材３７とを備えている。ここで、収容部３２と係止部材３４とを組合わせたものが本発明の保持手段に相当する。
【００３０】
取付部材３７は、ゴルフクラブ３５のヘッド３６を囲うように設けられ、また、一部が回動可能に設けられており、ボルト３８及びナット３９によって締結している。ここで、取付部材３７が本発明の着脱手段に相当する。
【００３１】
このように、第三実施形態の球保持具３１は、練習者Ｐがこれをゴルフクラブ３５のヘッド３６に取付部材３７によって取付ければ、既存のゴルフクラブ３５を利用して球技練習用具１と同様の作用を奏すことになる。したがって、ゴルフクラブ３５を利用して球技練習用具１と同様の効果を奏することができる。
【００３２】
以上、本発明について好適な第一、第二、及び第三実施形態を挙げて説明したが、本発明はこれらの実施形態に限定されるものではなく、以下に示すように、本発明の要旨を逸脱しない範囲において、種々の改良及び設計の変更が可能である。
【００３３】
すなわち、第一及び第三実施形態の球技練習用具１では、収容部４，３２と、係止部材６，３４とからなる保持手段を示し、第二実施形態の球技練習用具２１では、切欠部２２と、一対の挟持部材２５ａ，２５ｂとからなる保持手段を示した。しかし、保持手段は、これに特に限定されるものではなく、ゴルフボールＧを保持し、練習者Ｐがスイングすると、ゴルフボールＧに遠心力が加わり、フォロースルーの際にゴルフボールＧが保持手段を離脱するものであればよい。例えば、ヘッドの速度を測定する速度センサと、ゴルフボールＧを保持するとともに、速度センサによる測定が所定速度を超えるとゴルフボールＧを離脱させる把持部材とからなるものなどが挙げられる。
【００３４】
また、保持手段には、練習者がゴルフボールＧを保持させてスイングしたが、勢いが弱くフォロースルーの際にゴルフボールＧが離脱せず振り切った場合に、ゴルフボールＧが離脱しないように離脱防止手段を設けてもよい。さらに、保持手段には、フォロースルーの際にゴルフボールが離脱する方向を調節する方向調節手段を設けてもよい。
【００３５】
【発明の効果】
以上のように、請求項１の発明の球技練習用具は、練習者がこれをスイングの練習に利用し、体の回転を使った正しいスイングを習得できる。また、練習者は、正しいスイングができたかどうかが練習者自身でわかって面白みがあるため、上達への意欲を損なうことなく練習できる。さらに、広い場所で気持ちよく練習できる。
【００３６】
請求項２の発明の球技練習用具は、請求項１の発明の球技練習用具の効果に加えて、ボールを保持するとともに、フォロースルーの際に離脱させることができる練習用具を、簡易かつ安価に実現できる。
【００３７】
請求項３の発明の球技練習用具は、請求項１の発明の球技練習用具の効果に加えて、ヘッド部にボールを保持するとともに、フォロースルーの際に離脱させることができる練習用具を、簡易かつ安価に実現できる。
【００３８】
請求項４の発明の球保持具は、練習者がこれを既存の球技用具のヘッド部に着脱手段によって取付ければ、既存の球技用具を利用して請求項１と同様の効果を奏することができる。
【図面の簡単な説明】
【図１】本発明の第一実施形態である球技練習用具の構成を示す正面図である。
【図２】本発明の第一実施形態である球技練習用具の収容部の構成を示す（ａ）側面図、（ｂ）正面図である。
【図３】本発明の第一実施形態である球技練習用具の使用方法を説明するための説明図で、（ａ）トップスイング状態図、（ｂ）インパクト状態図、（ｃ）フォロースルー状態図である。
【図４】本発明の第一実施形態である球技練習用具の使用方法を説明するための説明図である。
【図５】本発明の第二実施形態である球技練習用具のヘッド部の構成を示す（ａ）側面図、（ｂ）正面図である。
【図６】本発明の第三実施形態である球保持具のゴルフクラブに取付けた状態を示す正面図である。
【図７】本発明の第三実施形態である球保持具の構成を示す（ａ）側面図、（ｂ）正面図である。
【符号の説明】
１，２１　球技練習用具
２　グリップ部
３　シャフト部
４，３２　収容部（保持手段）
５，２４ａ，２４ｂ，３３　屈曲部
６，３４　係止部材（保持手段）
２２　切欠部
２３　ヘッド部（保持手段）
２５ａ，２５ｂ　挟持部材（保持手段）
３１　球保持具
３５　ゴルフクラブ（球技用具）
３６　ヘッド
３７　取付部材（着脱部材）
Ｇ　ゴルフボール
【図１】
2004121527.tif 000003
【図２】
2004121527.tif 000004
【図３】
2004121527.tif 000005
【図４】
2004121527.tif 000006
【図５】
2004121527.tif 000007
【図６】
2004121527.tif 000008
【図７】
2004121527.tif 000009